(57)【特許請求の範囲】
【請求項１】
合成樹脂をマトリックスとし、長手方向一端側にヴァンプを有する帯板状の木管楽器用リードであって、
少なくとも一部に保湿材料を含有し、
前記保湿材料を前記マトリックス中に略均一に有することを特徴とする木管楽器用リード。
【請求項２】
合成樹脂をマトリックスとし、長手方向一端側にヴァンプを有する帯板状の木管楽器用リードであって、
少なくとも一部に保湿材料を含有し、
前記保湿材料が粉末フィラーであることを特徴とする木管楽器用リード。
【請求項３】
前記粉末フィラーがヒドロキシアパタイト、珪藻土又はミルクカゼインである請求項２に記載の木管楽器用リード。
【発明の詳細な説明】
【技術分野】
【０００１】
本発明は、木管楽器用リードに関する。
【背景技術】
【０００２】
例えばサクソフォン、クラリネット等の木管楽器は、奏者が息を吹き込む唄口に取り付けられる帯板状のリードを振動させることによって音を発生させる。木管楽器用リードは、一般に葦や竹などの天然素材から形成され、奏者が口に咥える側の長手方向端部（先端部）に向かって厚さを徐々に減少させるよう表面を削り落としたヴァンプ（Ｖａｍｐ）が設けられている。
【０００３】
このような天然素材から形成される木管楽器用リードは、個々のばらつきが大きいという難点がある。このため、ユーザーが熟練者ではない比較的低練度の奏者であっても、複数のリードの中から満足な音色が得られるリードを選択し、満足な音色が得られないリードを使用せずに廃棄しているのが実情である。具体的には、木管楽器用リードは、１０本を一組として販売されることが多いが、一般ユーザーであっても、実際には１０本中で２本乃至３本程度しか使用できないと判断する場合が少なくない。
【０００４】
また、木管楽器用リードには、奏者の唾液や息に含まれる水分が付着することが避けられない。葦や竹から形成される木管楽器用リードは、このような水分に晒されることによって劣化が促進されるため、寿命が比較的短いという不都合がある。このため、合成樹脂から形成された耐久性に優れるリードが市販されている。
【０００５】
しかしながら、合成樹脂製リードは、その振動特性等の物性が天然素材から形成されるリードとは異なるため、音色や演奏性が十分とはいえない。そこで、合成樹脂製リードを形成する樹脂組成物にセルロース繊維を配合することで、合成樹脂製リードの振動特性を向上することが提案されている（例えば特開２００８−１９７４５０号公報参照）。
【０００６】
このように、合成樹脂製リードの振動特性を向上する提案はなされているが、合成樹脂製リードは、演奏者の唇に当接したときの感触が天然素材から形成されるリードと異なるという不都合が残されている。つまり、従来の合成樹脂製リードは、演奏者に違和感を与えることがある。
【先行技術文献】
【特許文献】
【０００７】
【特許文献１】特開２００８−１９７４５０号公報
【発明の概要】
【発明が解決しようとする課題】
【０００８】
前記不都合に鑑みて、本発明は、合成樹脂から形成されながら、演奏者に違和感を与えにくい木管楽器用リードを提供することを課題とする。
【課題を解決するための手段】
【０００９】
前記課題を解決するためになされた発明は、合成樹脂をマトリックスとし、長手方向一端側にヴァンプを有する帯板状の木管楽器用リードであって、少なくとも一部に保湿材料を含有することを特徴とする木管楽器用リードである。
【００１０】
当該木管楽器用リードは、少なくとも一部に保湿材料を含有することによって、保湿性（吸湿性）を有する部分を有する。このため、当該木管楽器用リードは、保湿性を有する天然素材に近い感触を有することができ、演奏者に違和感を与えにくい。
【００１１】
当該木管楽器用リードが前記保湿材料を前記マトリックス中に略均一に有するとよい。このように、前記保湿材料を前記マトリックス中に略均一に有することによって、当該木管楽器用リードの製造が比較的容易となる。
【００１２】
当該木管楽器用リードが、リード本体と、このリード本体表面の少なくとも一部に積層される保湿層とを備え、前記保湿層に保湿材料を含有するとよい。このように、リード本体と、このリード本体表面の少なくとも一部に積層される保湿層とを備え、前記保湿層に保湿材料を含有することによって、前記リード本体により当該木管楽器用リードの基本的な振動特性を定めることができるので設計が比較的容易であり、かつ保湿層により当該木管楽器用リードの表面に比較的容易に保湿性を付与することができる。
【００１３】
前記保湿材料が粉末フィラーであるとよい。このように、前記保湿材料が粉末フィラーであることによって、この粉末フィラーを木管楽器用リードのマトリックスとなる合成樹脂に分散させることで当該木管楽器用リードを比較的容易に製造することができる。
【００１４】
前記粉末フィラーがヒドロキシアパタイト、珪藻土又はミルクカゼインであるとよい。このように、前記粉末フィラーがヒドロキシアパタイト、珪藻土又はミルクカゼインであることによって、粉末フィラーが当該木管楽器用リードから脱離して演奏者の口から体内に進入しても健康被害を生じない。
【００１５】
ここで、「表面」とは、外側の面を意味し、表裏を限定するものではない。また、「粉末フィラー」とは、平均粒子径が１００μｍ以下の充填材を意味する。なお、「平均粒子径」とは、レーザー回折法により得られる粒度分布において体積積算値が５０％となる値を意味する。
【発明の効果】
【００１６】
本発明の木管楽器用リードは、合成樹脂から形成されながら、演奏者に違和感を与えにくい。
【図面の簡単な説明】
【００１７】
【図１】本発明の一実施形態に係る木管楽器用リードが取り付けられたサクソフォンを示す模式的斜視図である。
【図２】図１のサクソフォンのマウスピースを示す模式的断面図である。
【図３】図１のサクソフォンの木管楽器用リードを示す模式的平面図である。
【図４】図３の木管楽器用リードを示す模式的断面図である。
【図５】本発明の図４とは異なる実施形態に係る木管楽器用リードを示す模式的断面図である。
【図６】本発明の図４及び図５とは異なる実施形態に係る木管楽器用リードを示す模式断面図である。
【発明を実施するための形態】
【００１８】
以下、適宜図面を参照しつつ、本発明の実施の形態を詳説する。
【００１９】
［第一実施形態］
＜サクソフォン＞
図１に、本発明の一実施形態に係る木管楽器用リード１を用いる木管楽器の一種であるサクソフォンを示す。
【００２０】
図１のサクソフォンは、サクソフォン本体２の一端に当該木管楽器用リード１を取り付けたマウスピース３が装着されている。
【００２１】
サクソフォン本体２は、一端にマウスピース３が装着され、他端が径を拡大するようにして開放する屈曲した管体部４を備え、この管体部４に形成される複数の音孔をそれぞれ封止可能に設置される複数のキイ５と、これらのキイ５を操作するためのレバー６等を有する。このサクソフォン本体２の構成は、従来のサクソフォン本体の構成と同様とすることができる。
【００２２】
マウスピース３は、サクソフォン本体２の一端に装着され、奏者がサクソフォン本体２に息を吹き込み、当該木管楽器用リード１を振動させるために使用される。
【００２３】
マウスピース３は、図２に示すように、概略筒状に形成され、奏者が口に咥える一端側が平たく押し潰されたような形状を有し、奏者の下唇に接触する側が大きく開口し、この開口を封止するよう当該木管楽器用リード１が取り付けられる。当該木管楽器用リード１は、マウスピース３の外周に装着されるリガチャ７によってマウスピース３に固定される。これらのマウスピース３及びリガチャ７としては、従来の構成のものを使用することができる。
【００２４】
なお、当該木管楽器用リード１は、図１のようなサクソフォンに限らず、例えばクラリネット等の他の木管楽器にも使用することができ、例えばオーボエ、ファゴット等の２枚のリードを使用する木管楽器にも使用することができる。２枚のリードを使用する木管楽器の場合、２枚のリードのうち一方にのみ当該木管楽器用リード１を用い、他方に天然素材から形成される従来のリード又は保湿材料を含有しない従来の樹脂製リードを用いてもよい。
【００２５】
＜木管楽器用リード＞
図３及び図４に、当該木管楽器用リード１を詳細に示す。当該木管楽器用リード１は、合成樹脂をマトリックスとし、帯板状に形成され、長手方向一端側にヴァンプ８を有する。また、当該木管楽器用リード１は、前記マトリックス中に略均一に保湿材料９を含有する。
【００２６】
当該木管楽器用リード１は、ヴァンプ８が形成されていない部分の表面（マウスピース３に取り付けられる側と反対側の面）が円筒面の一部をなすように湾曲している。この湾曲面は、裏面（マウスピース３に取り付けられる側の面）と平行な長手方向の軸を有し、表面側に膨出するものとされる。これにより、当該木管楽器用リード１は、図１及び図２に示すように、ヴァンプ８が形成されていない部分がリガチャ７で緊締されることによってマウスピース３の外面に表面が連続するようマウスピース３と一体に保持される。
【００２７】
ヴァンプ８は、奏者が口に咥える側の長手方向端部（以下、単に「先端部」ともいう。）に向かって当該木管楽器用リード１の厚さを徐々に減少させるよう形成されている。より詳しくは、ヴァンプ８は、一般に当該木管楽器用リード１のヒール（ヴァンプ８が形成されていない方の長手方向端部）側程傾斜角度が大きくなるよう湾曲し、先端側は略平面状に伸びるよう形成される。このヴァンプ８の湾曲形状としては、従来のリードに形成されるヴァンプの湾曲形状と同様とされる。
【００２８】
つまり、当該木管楽器用リード１の概略形状としては、葦等から形成される従来のリードと同様の形状とされる。当該木管楽器用リード１の概略形状の具体的な寸法としては、当該木管楽器用リード１がアルトサックス用のリードである場合、幅を約１５ｍｍ、長さを約７０ｍｍ、ヴァンプ８が形成されていない部分の最大厚さを約３ｍｍ、ヴァンプ８の先端における厚さを約０．１５ｍｍとすることができる。
【００２９】
（マトリックス）
当該木管楽器用リード１を形成する材料のマトリックスとなる合成樹脂としては、例えばポリプロピレン、液晶ポリマー等が使用可能である。
【００３０】
当該木管楽器用リード１を合成樹脂をマトリックスとする材料によって形成することで、材質の物性を一定にすることができる。このため、当該木管楽器用リード１は、一定の振動特性を有するものとなるので、発生する音色のばらつきが小さい。
【００３１】
（保湿材料）
前記マトリックス中に存在する保湿材料９は、粉末フィラー（微粒子状の充填材）であることが好ましい。このように保湿材料９として粉末フィラーを使用することによって、保湿材料９を当該木管楽器用リード１の全体に比較的容易に分散して配置することができる。
【００３２】
保湿材料９の材質としては、保湿性を有するものであれば特に限定されないが、ヒドロキシアパタイト、珪藻土及びミルクカゼインが特に好適に利用できる。これらの材料は、食品添加物としての使用が認められているため、これらを用いた保湿材料９が当該木管楽器用リード１から脱離して、演奏者が保湿材料９を経口摂取してしまっても、健康被害を引き起こす心配がない。
【００３３】
保湿材料９の平均粒子径の下限としては、５μｍが好ましく、８μｍがより好ましい。一方、保湿材料９の平均粒子径の上限としては、２０μｍが好ましく、１５μｍがより好ましい。保湿材料９の平均粒子径が前記下限に満たない場合、保湿材料９の分散性が不十分となり、品質がばらつくおそれや製造効率が低下するおそれがある。逆に、保湿材料９の平均粒子径が前記上限を超える場合、当該木管楽器用リード１の特に先端部の成型性が不十分となるおそれがある。
【００３４】
当該木管楽器用リード１における保湿材料９の含有量の下限としては、１質量％が好ましく、２質量％がより好ましい。一方、保湿材料９の含有量の上限としては、５質量％が好ましく、４質量％がより好ましい。保湿材料９の含有量が前記下限に満たない場合、当該木管楽器用リード１の保湿性が不十分となり、演奏者に違和感を与えるおそれがある。逆に、保湿材料９の含有量が前記上限を超える場合、当該木管楽器用リード１を形成する材料の粘度が大きくなり、製造性、特に射出成型性（キャビティへの充填性）が不十分となるおそれがある。
【００３５】
また、当該木管楽器用リード１を形成する材料は、マトリックス中に例えば木繊維、竹繊維等の天然繊維、ガラス繊維等の無機繊維、ポリアミド繊維等の合成繊維などを含んでもよい。マトリックス中の繊維は、当該木管楽器用リード１の剛性を向上する。
【００３６】
当該木管楽器用リード１を形成する材料における繊維の含有率の下限としては、特に限定されないが、１０質量％が好ましく、２０質量％がより好ましい。一方、当該木管楽器用リード１を形成する材料における繊維の含有率の上限としては、７０質量％が好ましく、６０質量％がより好ましい。前記繊維の含有率が前記下限に満たない場合、当該木管楽器用リード１の剛性を十分に向上できないおそれがある。逆に、前記繊維の含有率が前記上限を超える場合、当該木管楽器用リード１の成形が困難となるおそれがある。
【００３７】
当該木管楽器用リード１を形成する材料に含有される繊維の平均長さの下限としては、３μｍが好ましく、５μｍがより好ましい。一方、当該木管楽器用リード１を形成する材料に含有される繊維の平均長さの上限としては、５０μｍが好ましく、３０μｍがより好ましい。前記繊維の平均長さが前記下限に満たない場合、当該木管楽器用リード１の剛性を十分に向上できないおそれがある。逆に、前記繊維の平均長さが前記上限を超える場合、当該木管楽器用リード１の射出成型による製造が困難となるおそれがある。
【００３８】
当該木管楽器用リード１を形成する材料の弾性率の下限としては、３０００ＭＰａが好ましく、４０００ＭＰａが好ましい。一方、当該木管楽器用リード１を形成する材料の弾性率の上限としては、１００００ＭＰａが好ましく、８０００ＭＰａが好ましい。当該木管楽器用リード１を形成する材料の弾性率が前記下限に満たない場合、音速が小さく、音響効果が不十分となるおそれがある。逆に、当該木管楽器用リード１を形成する材料の弾性率が前記上限を超える場合、当該木管楽器用リード１が硬くなり過ぎるために十分な振動が得られないおそれがある。なお、前記弾性率は、ＪＩＳ−Ｋ７１７１（２００８）に準拠して測定される値である。
【００３９】
＜製造方法＞
当該木管楽器用リード１は、マトリックスとなる合成樹脂中に保湿材料９を含有する樹脂組成物の金型を用いた射出成型によって製造することができる。製品の品質を一定に保つために、当該木管楽器用リード１は、射出成型後に、金型のキャビティ内への樹脂組成物の充填が不安定になりやすい末端部、具体的にはヴァンプ８の先端縁を切除するようにしてもよい。
【００４０】
また、当該木管楽器用リード１は、合成樹脂をマトリックスとし、保湿材料９を含有する母材からの削り出しによって製造してもよい。
【００４１】
＜利点＞
当該木管楽器用リード１は、上述のように、保湿材料９を含有することによって、天然素材に近い保湿性を有し、当該木管楽器用リード１を唇に当接させたときの感触が従来の天然素材から形成されるリードと近似しており、演奏者に違和感を与えにくい。
【００４２】
また、当該木管楽器用リード１は、その全体に保湿材料９を略均一に含有するので、樹脂組成物の射出成型によって比較的容易に製造することができる。
【００４３】
［第二実施形態］
図５に、本発明の別の実施形態に係る木管楽器用リード１ａを示す。当該木管楽器用リード１ａは、合成樹脂をマトリックスとし、帯板状に形成され、長手方向一端側にヴァンプ８を有する。
【００４４】
図５の木管楽器用リード１ａは、リード本体１０と、このリード本体１０の表面の少なくとも一部に積層される保湿層１１とを備え、この保湿層１１に保湿材料９を含有している。
【００４５】
（リード本体）
リード本体１０は、合成樹脂をマトリックスとする材料から形成される。このマトリックスとなる合成樹脂としては、例えばポリプロピレン、液晶ポリマー等を挙げることができる。
【００４６】
このリード本体１０は、保湿材料９を含まないが、マトリックス中に例えば木繊維、竹繊維等の天然繊維、ガラス繊維等の無機繊維、ポリアミド繊維等の合成繊維などを含んでもよい。
【００４７】
（保湿層）
保湿層１１は、リード本体１０の全面に積層されてもよく、リード本体１０の少なくとも演奏者の唇が当接するヴァンプ８の表面に積層されることが好ましい。また、当該木管楽器用リード１ａの先端側の厚さを小さくするため、保湿層１１の厚さを、先端側ほど小さくしてもよい。また、当該木管楽器用リード１ａの先端において、リード本体１０の十分な厚さを確保して剛性を得るために、保湿層１１は、ヴァンプ８の先端部には積層されていなくてもよい。また、保湿層１１がリード本体１０と同等の剛性を有する場合には、ヴァンプ８の先端部を保湿層１１のみで形成してもよい。
【００４８】
保湿層１１の平均厚さの下限としては、２０μｍが好ましく、３０μｍがより好ましい。一方、保湿層１１の平均厚さの上限としては、３００μｍが好ましく、１００μｍがより好ましい。保湿層１１の平均厚さが前記下限に満たない場合、保湿層１１の積層が容易でなくなるおそれがある。逆に、保湿層１１の平均厚さが前記上限を超える場合、当該木管楽器用リード１ａの特に先端部の剛性が不足して不自然な音質となるおそれがある。
【００４９】
保湿層１１は、合成樹脂をマトリックスとし、このマトリックス中に保湿剤９を含有する。
【００５０】
保湿層１１のマトリックスとなる合成樹脂としては、例えばポリプロピレン、液晶ポリマー、アクリル樹脂、ウレタン樹脂、エポキシ樹脂等を挙げることができる。当該木管楽器用リード１ａの製造方法にもよるが、保湿層１１のマトリックスとなる合成樹脂は、前述のリード本体１０のマトリックスとなる合成樹脂と同じものとすることが好ましい。
【００５１】
図５の木管楽器用リード１ａの保湿層１１中の保湿材料９としては、図４の木管楽器用リード１の保湿材料９と同様とすることができる。
【００５２】
保湿層１１における保湿材料９の含有量の下限としては、１質量％が好ましく、２質量％がより好ましい。一方、保湿層１１における保湿材料９の含有量の上限としては、５質量％が好ましく、４質量％がより好ましい。保湿層１１における保湿材料９の含有量が前記下限に満たない場合、当該木管楽器用リード１の保湿性が不十分となり、演奏者に違和感を与えるおそれがある。逆に、保湿層１１における保湿材料９の含有量が前記上限を超える場合、保湿層１１を形成する材料の粘度が大きくなり、当該木管楽器用リード１の製造が容易でなくなるおそれがある。
【００５３】
＜製造方法＞
当該木管楽器用リード１ａは、予め形成した保湿層１１を金型内に配置し、この金型に樹脂組成物を射出することでリード本体１０を形成するインサート成型によって製造することができる。前記保湿層１１は、例えば射出成型、削り出し等の方法で形成することができる。
【００５４】
また、当該木管楽器用リード１ａは、予め別々に形成したリード本体１０と保湿層１１とを接着することによって製造してもよい。前記リード本体１０及び保湿層１１は、例えば射出成型、削り出し等の方法で形成することができる。
【００５５】
また、当該木管楽器用リード１ａは、予め形成したリード本体１０の表面に、保湿材料９を含有する樹脂組成物を塗工することによって製造してもよい。前記リード本体１０は、例えば射出成型、削り出し等の方法で形成することができる。
【００５６】
＜利点＞
当該木管楽器用リード１ａは、リード本体１０の表面の少なくとも一部に積層される保湿層１１を備えることによって、この保湿層１１を備える部分の表面が天然素材に近い感触を有し、演奏者に違和感を与えにくい。
【００５７】
また、当該木管楽器用リード１ａは、保湿材料９を含まないリード本体１０によって好ましい振動特性を担保し、保湿材料９を含む保湿層１１によって感触を向上して演奏性を向上するため、演奏性と音質とを両立できる。
【００５８】
［第三実施形態］
図６に、本発明のさらに別の実施形態に係る木管楽器用リード１ｂを示す。当該木管楽器用リード１ｂは、合成樹脂をマトリックスとし、帯板状に形成され、長手方向一端側にヴァンプ８を有する。
【００５９】
図６の木管楽器用リード１ｂは、リード本体１０ｂと、このリード本体１０ｂのヴァンプ８と反対側（マウスピースに当接する側）の表面に積層される保湿層１１ｂとを備え、この保湿層１１ｂに保湿材料９を含有している。
【００６０】
（リード本体）
リード本体１０ｂは、合成樹脂をマトリックスとする材料から形成される。このマトリックスとなる合成樹脂としては、例えばポリプロピレン、液晶ポリマー等を挙げることができる。
【００６１】
このリード本体１０ｂは、保湿材料９を含まないが、マトリックス中に例えば木繊維、竹繊維等の天然繊維、ガラス繊維等の無機繊維、ポリアミド繊維等の合成繊維などを含んでもよい。
【００６２】
（保湿層）
保湿層１１ｂは、リード本体１０ｂのヴァンプ８と反対側の面、つまり演奏時の振動によりマウスピース３と接離する面に積層されている。このため、この保湿層１１ｂが直接演奏者の唇に当接することはないが、保湿層１１ｂによって保湿性を付与することにより、その挙動が天然素材から形成されるリードに近くなるため、演奏者が感じる振動等が天然素材から形成されるリードに近くなる。
【００６３】
保湿層１１ｂの平均厚さの下限としては、２０μｍが好ましく、３０μｍがより好ましい。一方、保湿層１１ｂの平均厚さの上限としては、３００μｍが好ましく、１００μｍがより好ましい。保湿層１１ｂの平均厚さが前記下限に満たない場合、保湿層１１ｂの積層が容易でなくなるおそれがある。逆に、保湿層１１ｂの平均厚さが前記上限を超える場合、当該木管楽器用リード１ｂの特に先端部の剛性が不足して不自然な音質となるおそれがある。
【００６４】
保湿層１１ｂは、合成樹脂をマトリックスとし、このマトリックス中に保湿剤９を含有する。
【００６５】
保湿層１１ｂのマトリックスとなる合成樹脂としては、例えばポリプロピレン、液晶ポリマー、アクリル樹脂、エポキシ樹脂等を挙げることができ、リード本体１０ｂのマトリックスとなる合成樹脂と同じものとすることが好ましい。
【００６６】
図５の木管楽器用リード１ｂの保湿層１１ｂ中の保湿材料９としては、図４の木管楽器用リード１の保湿材料９と同様とすることができる。
【００６７】
保湿層１１ｂにおける保湿材料９の含有量の下限としては、１質量％が好ましく、２質量％がより好ましい。一方、保湿層１１ｂにおける保湿材料９の含有量の上限としては、５質量％が好ましく、４質量％がより好ましい。保湿層１１ｂにおける保湿材料９の含有量が前記下限に満たない場合、当該木管楽器用リード１の保湿性が不十分となり、演奏者に違和感を与えるおそれがある。逆に、保湿層１１ｂにおける保湿材料９の含有量が前記上限を超える場合、保湿層１１ｂを形成する材料の粘度が大きくなり、当該木管楽器用リード１ｂの製造が容易でなくなるおそれがある。
【００６８】
＜製造方法＞
当該木管楽器用リード１ｂは、予め形成した保湿層１１ｂを金型内に配置し、この金型に樹脂組成物を射出することでリード本体１０ｂを形成するインサート成型によって製造することができる。前記保湿層１１ｂは、例えば射出成型、削り出し等の方法で形成することができる。
【００６９】
また、当該木管楽器用リード１ｂは、予め別々に形成したリード本体１０ｂと保湿層１１ｂとを接着することによって製造してもよい。前記リード本体１０ｂ及び保湿層１１ｂは、例えば射出成型、削り出し等の方法で形成することができる。
【００７０】
また、当該木管楽器用リード１ｂは、予め形成したリード本体１０ｂの表面に、保湿材料９を含有する樹脂組成物を塗工することによって製造してもよい。前記リード本体１０ｂは、例えば射出成型、削り出し等の方法で形成することができる。
【００７１】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００７２】
当該木管楽器用リードは、少なくとも一部に保湿材料を含有していればよく、平面視で一部の領域の厚さ方向全体に保湿材料を含有してもよい。また、部分的に保湿材料を含有する保湿層を形成する場合、上述の実施形態において保湿層が積層された部分と異なる部分に保湿層が積層されてもよい。例えば、リード本体の表裏両面に保湿層が積層されてもよい。
【産業上の利用可能性】
【００７３】
本発明の木管楽器用リードは、サクソフォンだけでなく、リードを使用する他の木管楽器に広く利用することができる。
【符号の説明】
【００７４】
１，１ａ，１ｂ  木管楽器用リード
２  サクソフォン本体
３  マウスピース
４  管体部
５  キイ
６  レバー
７  リガチャ
８  ヴァンプ
９  保湿材料
１０，１０ｂ  リード本体
１１，１１ｂ  保湿層
【図１】
0006701759.tif 000002
【図２】
0006701759.tif 000003
【図３】
0006701759.tif 000004
【図４】
0006701759.tif 000005
【図５】
0006701759.tif 000006
【図６】
0006701759.tif 000007